(57)【要約】      （修正有）【課題】太陽光発電パネルを有効かつ機能性を高めた屋根・軒先形状及び外壁用に設置を可能とする建築物を提供する。【解決手段】流れ屋根を有し、トラス状の建築構造１を有する太陽光発電パネル設置建築物において、前記流れ屋根の庇４を矩形状に延長し、方丈５により庇延長部の先端を矩形に受け、前記流れ屋根及び前記庇延長部に太陽光発電パネルを設置して太陽光発電パネル設置建築物を構成する。さらに、前記庇延長部の中にバルコニーを設けても良く、さらに前記バルコニーに対応する太陽光発電パネルを光を透過するスケルトンタイプのものとしても良い。【選択図】図５
0003161500.tif 000002
【実用新案登録請求の範囲】
【請求項１】
太陽光発電パネルの効率を高める屋根形状において、流れ屋根の庇を延長して太陽光発電パネル設置面積を増やして太陽光発電パネルを設置し、延長した庇先端に矩形に受ける方杖を用いて自重や積雪・風圧荷重を安全に支える建築構造を有することを特徴とし、新規性を有する外観デザインをもった太陽光発電パネル設置建築物。
【請求項２】
フラットルーフ屋根の建物において、屋上の一部に急勾配小屋根の塔屋を設け太陽光発電パネル設置したことを特徴とする、外観デザイン性及び採光・換気機能を向上させた太陽光発電パネル設置建築物。
【請求項３】
既存建物又は新築建物の垂直外壁面において、上下に重ねて設けた鎧状の庇に太陽光発電パネルを設置し、外観デザイン性及び採光率を向上させたことを特徴とする太陽光発電パネル設置建築物。
【請求項４】
既存建物又は新築建物の垂直外壁面に直接太陽光発電パネルを設置し、光を透過可能な太陽光発電パネルと組み合わせることで内外観デザイン及び採光率を向上させたことを特徴とする太陽光発電パネル設置建築物。
【考案の詳細な説明】
【技術分野】
【０００１】  太陽光発電パネル（以下パネルという）を有効かつ機能性を高めた屋根・軒先形状及び外壁用に設置を可能とするデザイン性の高い建築物を提供する。
【背景技術】
【０００２】  従来のパネルを建築物に設置する場合、流れ屋根の形状をそのままに、その一部に設けたり、フラット屋根上に専用架台を設けて取り付けられていた。そして、外壁の一部を利用して取り付けられているのが一般的である。しかし、これらの設置方法ではパネルの設置面積が限定されたり、長期に渡る維持管理が困難とされクレームにつながっている。そして、これらの方法は無理に取り付けようとするため建物外観の意匠性や機能性に劣っていた。
【先行技術文献】
【特許文献】
【０００３】
【特許文献１】特開２０００−２３４４２４
【特許文献２】特開２００８−１６３６４０
【特許文献３】特開２００８−５９８５９
【考案の概要】
【考案が解決しようとする課題】
【０００４】  流れ屋根の建築物にパネルを設ける場合、南側屋根部分に設置するため、屋根素材（瓦やカラートタン、不燃シングルなど）とパネルとの調和に欠け、外観のデザイン性に欠ける。また、近年スケルトンタイプのパネルやパネル自体が屋根素材となるパネルが商品化されているが、これらの商品が建物のデザイン・機能に発揮されていないのが現状である。【０００５】  フラット屋根タイプの建築物の屋根上に設ける場合、スチール製などの専用架台を設けて取り付けるため雨漏りや強風により不具合が生じている。また、外観のデザイン性が悪く、建物に対する機能性を損なう場合がある。【０００６】  建築物の外壁の一部を利用してパネルが取り付けられている場合、南側に窓が多くて壁面積が少ないなどにより必要パネル数の設置に制限され、単純な設置方法はクレームを生じさせる。また、一方では外壁素材との調和を損ない、外観のデザイン性が劣る。
【課題を解決するための手段】
【０００７】  流れ屋根タイプの建築物にパネルを設ける場合、屋根形状により南側屋根面積が少なく、必要パネル数を設けることができない場合が多い。そのため、南方向の片流れ大屋根の上に設置するケースが見受けられるが、意匠性や建物の採光・眺望等の機能性に欠ける。そこで、一例として流れ屋根タイプの建物の場合は、流れ屋根の庇をそのまま延長させ、その先端を矩形に受ける方杖を設けて構造的に安定させる。当然、延長した矩形の庇にもパネルを設置する。斜め矩形の庇及びその側面外壁にパネルを一体に設け、大容量となるパネル数の設置を可能とする新規性の高い優れた外観デザインを有する建築物を構築できる。
さらに矩形の庇の中にバルコニーを設け、スケルトンタイプのパネルを用いて室内やバルコニーへの採光や眺望を確保する機能を有する付加価値の高い建物とすることが出来る。【０００８】  フラット屋根タイプの建築物の場合は、フラット屋根上にパネルを設ける屋上の一部に特殊な雨じまいを優先した納まりと、自重、風圧を考慮した建物と一体となる架台を設ける。そして、この架台をルーフ上に設置して連続した急勾配小屋根を設け、必要数のパネルを取り付ける。これにより、急勾配小屋根部分を採光や換気・出入り口などの機能を持たせた塔屋としての利便性が得られる。【０００９】  建築物外壁の一部に日射面を利用してパネルを取り付ける場合、垂直面にパネルの特性を考慮して縦貼り、横貼り、斜め貼り、さらには鎧貼りなどしてデザインの向上を図る。【００１０】  建物の一部としての庇や、テラスの手摺外面を外壁と一体となるデザインを考慮して全体の調和を図る。
【考案の効果】
【００１１】  パネルの有効的かつ効率的設置を可能とする建築物を提供することにより、以下に示す効果を有する。
▲１▼パネルの設置面積が増え、効率及び発電量を高められる。
▲２▼外観デザインを重視したパネル設置で、建物の意匠性を高め、ひいては街並み形成に貢献出来る。さらに、ユーザーのパネル設置意欲も高まり、パネル需要も増える。
▲３▼新築のみならず既存建築物への適応が可能となるため、太陽光利用・活用範囲が広がる。今、世界中が求めている二酸化炭素削減や地球温暖化防止策に大きく貢献できる。
▲４▼パネルを設置することにより、付加価値として採光や眺望、換気、遮光などの機能を有する建築物を提供できる。
【図面の簡単な説明】
【００１２】
【図１】  本考案建築物の一実施例の斜視図である。
【図２】  図１の断面概要図である。
【図３】  図１の南側立面図である。
【図４】  図１の東側立面図である。
【図５】  図１の断面図である。
【図６】  図１の他の実施例の斜視図である。
【図７】  他の実施例斜視図である。
【図８】  図７の断面概要図である。
【図９】  他の実施例を示す断面図である。
【図１０】  他の実施例を示す断面図である。
【図１１】  他の実施例の斜視図である。
【図１２】  図１１の西側率面図である。
【図１３】  図１１の北側立面図である。
【図１４】  他の実施例の斜視図である。
【図１５】  他の実施例の斜視図である。
【図１６】  他の実施例の斜視図である。
【図１７】  他の実施例の斜視図である。
【考案を実施するための形態】
【００１３】実施の形態について図面を参照して説明する。
【実施例】
【００１４】  図１から図５に示す本建築物１は、建物本体の流れ屋根部分の庇を延長し、その先端で矩形に受ける方杖５を設けて構造的に屋根・庇・パネル自重及び積雪・風圧荷重を安全に支え安定させる。本建築物１の流れ屋根部分にパネル２を設置し、さらに延長した庇４にもパネル２を設置する。又は屋根下の部分のバルコニーや室内への明るさをキープするため、光を透過するスケルトンタイプのパネル３を設置することも可能とする。これらにより、約１．５〜２倍の太陽光発電パネルを設置することが出来る。さらに、パネル設置を前提とした新規性のある今までにない外観デザインを有する建築物を構築することが出来る。【００１５】  図１から図６に示す本建築物１は、矩形の庇の中にバルコニーを設け、スケルトンタイプのパネル３を用いることで、バルコニーや室内への採光、そして、眺望（図２参照）を確保する機能を有している。【００１６】  本建築物１は、当然、図６から図１０に示すように地上３階建てやそれ以上の建築物にも適応可能である。また、図９、図１０に示すものは、３階建ての建物から独立したバルコニーを有する場合のバルコニー手摺部にパネル２又はパネル３を設置する一実施例を示している。さらに、フラット屋根上に三角形の塔屋６を設けパネル２を設置している。【００１７】  図１１から図１３に示す本建築物１は、フラット屋根上にパネル２を設ける場合で、屋上の一部に建物と一体となる連続した急勾配小屋根を有する塔屋６設け、必要数のパネル２を取り付ける。【００１８】  また、この場合、急勾配小屋根の庇を延長し、この延長した庇を受けるための矩形の方杖を設けることで外観デザインを向上させている。図示は省略するが、単純にフラット屋根上の塔屋として連続した塔屋６を並列にもうけることで、多くのパネル２を設置することも可能とする。【００１９】  急勾配小屋根を有する塔屋６を設けることにより、単なる塔屋部分を採光のための小窓や換気のためのガラリを壁面に取り付け、採光又は換気機能も可能である。【００２０】  図１４、図１５に示す本建築物１は、外壁面に鎧状の庇４を設けパネル２を設置する。図示は省略するが、鎧状の庇４を骨組みだけとし、窓の外側に隙間を有して取り付け、スケルトンタイプのパネル３を用いることで室内への採光や眺望を確保し、夏期日射の遮蔽を図ることも可能とする。【００２１】  図１６、図１７に示す本建築物１は、外壁面に直接パネル２を取付けて壁の仕上げとする。この場合、一部にスケルトンタイプのパネル３を用いることで室内への採光や眺望を確保することも可能とする。図示は省略するが、窓の取り付いた外壁に骨組みだけの枠を外側に隙間を有して取り付け、スケルトンタイプのパネル３を用いることで室内への採光や眺望を確保することも可能とする。
【産業上の利用可能性】
【００２２】  パネルを組込んだ建築物を企画化し、新規な外観デザインや機能性によりシリーズ化して市場に提案することで太陽光利用とそれに伴うパネルの需要促進化が図られ、二酸化炭素の削減や地球温暖化防止のための国の政策にも適合する。【００２３】  パネルを組込んだコンパクト建築物の開発により、パネル製造メーカーの推奨モデルとして活用出来る。そして、太陽電池及びバッテリーのモジュールの規格化、器機・配線のキット化が図られる。また、売電のための交流発電に依存しない、直流方式の自立型建物の提案も可能である。これらのパネル設置建物は、デザイン性が良くなければ受注も出来ないし、パネルの流通も図れない。【００２４】  また、直流方式の自立型建物としてパネルを組込んだ物置、車庫、食堂、住宅など多様で、照明や暖房及び敷地・建物の融雪エネルギーなどとして利用できる。
【符号の説明】
【００２５】１は、本建築物である。
２は、パネルである。
３は、スケルトンタイプのパネルである。
４は、庇である。
５は、方杖である。
６は、塔屋である。
【図１】
0003161500.tif 000003
【図２】
0003161500.tif 000004
【図３】
0003161500.tif 000005
【図４】
0003161500.tif 000006
【図５】
0003161500.tif 000007
【図６】
0003161500.tif 000008
【図７】
0003161500.tif 000009
【図８】
0003161500.tif 000010
【図９】
0003161500.tif 000011
【図１０】
0003161500.tif 000012
【図１１】
0003161500.tif 000013
【図１２】
0003161500.tif 000014
【図１３】
0003161500.tif 000015
【図１４】
0003161500.tif 000016
【図１５】
0003161500.tif 000017
【図１６】
0003161500.tif 000018
【図１７】
0003161500.tif 000019
【手続補正書】
【提出日】平成22年2月12日(2010.2.12)
【手続補正１】
【補正対象書類名】実用新案登録請求の範囲
【補正対象項目名】全文
【補正方法】変更
【補正の内容】
【実用新案登録請求の範囲】
【請求項１】
太陽光発電パネルの特性や効率を生かして建物の意匠性を考慮しながら設置する方法において、従来の流れ屋根の庇を延長することで太陽光発電パネル設置面積を増やし、延長した庇の先端を受ける方杖を用いて自重や積雪・風圧荷重を安全に支えるトラス状の建築構造を有することを特徴とする新規性のある外観デザインの太陽光発電パネル設置建築物。
【請求項２】
フラットルーフ屋根の建物の場合、屋上の一部に急勾配小屋根の塔屋を設けて設置面積を増やして太陽光発電パネルを設置することを特徴とする請求項１記載の太陽光発電パネル設置建築物。
【請求項３】
既存建物又は新築建物の垂直外壁面に設置する場合、その外壁面に上下に重ねて設けた鎧状の庇を設け、設置面積を増やして太陽光発電パネルを設置することで、外観デザイン性及び採光率を向上させたことを特徴とする請求項１記載の太陽光発電パネル設置建築物。
【請求項４】
既存建物又は新築建物の窓も含めた垂直外壁面の意匠性を考慮する場合、外壁や窓の上に直接太陽光発電パネルを設置し、光を透過可能な太陽光発電パネルと組み合わせることで外観デザイン及び内部への採光率を向上させることを特徴とする請求項１記載の太陽光発電パネル設置建築物。
【手続補正書】
【提出日】平成22年5月28日(2010.5.28)
【手続補正１】
【補正対象書類名】実用新案登録請求の範囲
【補正対象項目名】全文
【補正方法】変更
【補正の内容】
【実用新案登録請求の範囲】
【請求項１】
流れ屋根を有し、トラス状の建築構造を有する太陽光発電パネル設置建築物であって、
前記流れ屋根の庇を延長した矩形の庇延長部と、
該庇延長部の先端を矩形に受ける方杖と、
前記流れ屋根及び前記庇延長部に設置した太陽光発電パネルと
を有することを特徴とする太陽光発電パネル設置建築物。
【請求項２】
請求項１に記載した太陽光発電パネル設置建築物であって、
前記庇延長部の中にバルコニーを設けたことを特徴とする太陽光発電パネル設置建築物。
【請求項３】
請求項２に記載した太陽光発電パネル設置建築物であって、
前記バルコニーに対応する太陽光発電パネルを光を透過するスケルトンタイプのものとしたことを特徴とする太陽光発電パネル設置建築物。
【請求項４】
請求項１に記載した太陽項発電パネル設置建築物であって、
前記太陽光発電パネルは、それ自体が屋根素材となる部材からなることを特徴とする太陽光発電パネル設置建築物。
【手続補正２】
【補正対象書類名】明細書
【補正対象項目名】全文
【補正方法】変更
【補正の内容】
【考案の詳細な説明】
【技術分野】
【０００１】
本考案は、太陽光発電パネル（以下「パネル」という）を屋根に設置する建築物に関する。
【背景技術】
【０００２】
パネルを建築物に設置する場合、従来は、流れ屋根の形状をそのままに、その一部に設けたり、フラット屋根上に専用架台を設けて取り付けたりしていた。そして、外壁の一部を利用して取り付けるのが一般的である。
【先行技術文献】
【特許文献】
【０００３】
【特許文献１】特開２０００−２３４４２４
【特許文献２】特開２００８−１６３６４０
【特許文献３】特開２００８−０５９８５９
【考案の概要】
【考案が解決しようとする課題】
【０００４】
従来のパネル設置方法では、パネルの設置面積が限定される。また、長期に渡る維持管理が困難であり、苦情につながる。そして、これらの方法は、無理に取り付けようとするため、建物外観の意匠性や機能性において劣っていた。
【０００５】
流れ屋根タイプの建築物にパネルを設ける場合、屋根形状により南側屋根面積が少なく、必要パネル数を設けることができない場合が多い。そのため、南方向の片流れ大屋根の上に設置するケースが見受けられるが、意匠性や建物の採光・眺望等の機能性に欠ける。南側屋根部分に設置するため、屋根素材（瓦やカラートタン、不燃シングルなど）とパネルとの調和に欠け、外観のデザイン性に欠ける。また、近年スケルトンタイプのパネルやパネル自体が屋根素材となるパネルが商品化されているが、これらの商品が建物のデザイン・機能に発揮されていないのが現状である。
本考案の目的は、これらの課題を解決し、太陽光発電パネルを屋根に設置するのに適した建築物を提供することにある。
【課題を解決するための手段】
【０００６】
流れ屋根タイプの建物の場合は、流れ屋根の庇をそのまま延長させ、その先端を矩形に受ける方杖を設けて構造的に安定させる。延長した矩形の庇にもパネルを設置する。斜め矩形の庇及びその側面外壁にパネルを一体に設け、大容量となるパネル数の設置を可能とする外観デザインを有する建築物を構築できる。
【０００７】
さらに矩形の庇の中にバルコニーを設け、スケルトンタイプのパネルを用いて室内やバルコニーへの採光や眺望を確保する機能を有する建物とすることができる。
【０００８】
建物の一部としての庇や、テラスの手摺外面を外壁と一体となるデザインを考慮して全体の調和を図る。
【考案の効果】
【０００９】
パネルの有効的かつ効率的設置を可能とする建築物を提供することにより、次の効果を有する。
第一に、パネルの設置面積が増え、効率及び発電量を高められる。
第二に、外観デザインを重視したパネル設置で、建物の意匠性を高め、ひいては街並み形成に貢献出来る。さらに、ユーザーのパネル設置意欲も高まり、パネル需要も増える。
第三に、新築のみならず、既存建築物への適応が可能となるため、太陽光利用・活用範囲が広がる。今、世界中が求めている二酸化炭素削減や地球温暖化防止策に大きく貢献できる。
第四に、パネルを設置することにより、付加価値として採光や眺望、換気、遮光などの機能を有する建築物を提供できる。
【図面の簡単な説明】
【００１０】
【図１】本考案に係る建築物の一実施例の斜視図である。
【図２】図１の断面概要図である。
【図３】図１の南側立面図である。
【図４】図１の東側立面図である。
【図５】図１の断面図である。
【図６】他の実施例の斜視図である。
【図７】さらに他の実施例の斜視図である。
【図８】図７の断面概要図である。
【考案を実施するための形態】
【００１１】
実施の形態について図面を参照しつつ説明する。
【００１２】
図１から図５に示す本建築物１は、建物本体の流れ屋根部分の庇を延長し、その先端で矩形に受ける方杖５を設けて構造的に屋根・庇・パネル自重及び積雪・風圧荷重を安全に支え安定させる。本建築物１の流れ屋根部分にパネル２を設置し、さらに延長した庇４にもパネル２を設置する。又は屋根下の部分のバルコニーや室内への明るさをキープするため、光を透過するスケルトンタイプのパネル３を設置することも可能とする。これらにより、約１．５〜２倍の太陽光発電パネルを設置することが出来る。さらに、パネル設置を前提とした新規性のある今までにない外観デザインを有する建築物を構築することが出来る。
【００１３】
図１から図６に示す本建築物１は、矩形の庇の中にバルコニーを設け、スケルトンタイプのパネル３を用いることで、バルコニーや室内への採光、そして眺望（図２参照）を確保する機能を有している。
【００１４】
本建築物１は、図６から図８に示すように地上３階建てやそれ以上の建築物にも適応可能である。
【産業上の利用可能性】
【００１５】
パネルを組み込んだ建築物を規格化し、新規な外観デザインや機能性によりシリーズ化して市場に提案することで太陽光利用とそれに伴うパネルの需要促進化が図られ、二酸化炭素の削減や地球温暖化防止のための国の政策にも適合する。
【００１６】
パネルを組込んだコンパクト建築物の開発により、パネル製造メーカーの推奨モデルとして活用出来る。そして、太陽電池及びバッテリーのモジュールの規格化、器機・配線のキット化が図られる。また、売電のための交流発電に依存しない、直流方式の自立型建物の提案も可能である。これらのパネル設置建物は、デザイン性が良くなければ受注も出来ないし、パネルの流通も図れない。
【００１７】
また、直流方式の自立型建物としてパネルを組込んだ物置、車庫、食堂、住宅など多様で、照明や暖房及び敷地・建物の融雪エネルギーなどとして利用できる。
【符号の説明】
【００１８】
１  本建築物
２  パネル
３  スケルトンタイプのパネル
４  庇
５  方杖
【手続補正３】
【補正対象書類名】図面
【補正対象項目名】全図
【補正方法】変更
【補正の内容】
【図１】
0003161500.tif 000020
【図２】
0003161500.tif 000021
【図３】
0003161500.tif 000022
【図４】
0003161500.tif 000023
【図５】
0003161500.tif 000024
【図６】
0003161500.tif 000025
【図７】
0003161500.tif 000026
【図８】
0003161500.tif 000027